(57)【要約】  【課題】  遊技盤上に遊技領域をより広く確保することが可能な弾球遊技機を提供する。  【解決手段】  前面側に遊技領域１５が設けられた遊技盤１２と、遊技球を発射する発射手段１１と、発射手段１１により発射された遊技球を遊技領域１５の上部側に案内する発射案内通路９１と、遊技領域１５の前側に対応する透視窓８０を有する開閉扉４とを備えた弾球遊技機で、透視窓８０には、前後に所定の間隔をあけて略平行に配設された２枚の透明板８５，８６が装着され、発射案内通路９１のうち、少なくとも遊技領域１５の前側に対応する部分を２枚の透明板８５，８６の間に配置したものである。【選択図】  図５
2006263194.tif 000002
【特許請求の範囲】
【請求項１】
前面側に遊技領域（１５）が設けられた遊技盤（１２）と、遊技球を発射する発射手段（１１）と、該発射手段（１１）により発射された遊技球を前記遊技領域（１５）の上部側に案内する発射案内通路（９１）と、前記遊技領域（１５）の前側に対応する透視窓（８０）を有する開閉扉（４）（４′）とを備えた弾球遊技機において、前記透視窓（８０には、前後に所定の間隔をあけて略平行に配設された２枚の透明板（８５）（８６）が装着され、前記発射案内通路（９１）のうち、少なくとも前記遊技領域（１５）の前側に対応する部分を前記２枚の透明板（８５）（８６）の間に配置したことを特徴とする弾球遊技機。
【請求項２】
前記２枚の透明板（８５）（８６）のうちの少なくとも一方と、それら２枚の透明板（８５）（８６）の間に配置された通路壁部材（９０）とで前記発射案内通路（９１）が形成されていることを特徴とする請求項１に記載の弾球遊技機。
【請求項３】
前記２枚の透明板（８５）（８６）のうち、前記遊技領域（１５）側の後透明板（８６）が合成樹脂により形成され、前記通路壁部材（９０）を前記後透明板（８６）側に一体に形成したことを特徴とする請求項２に記載の弾球遊技機。
【請求項４】
前記通路壁部材（９０）は、前記発射手段（１１）により発射された遊技球を上向きに案内する上向き案内通路部（９１ａ）と、該上向き案内通路部（９１ａ）の発射方向下流端側に接続され且つ前記上向き案内通路部（９１ａ）により案内されてきた遊技球を、前記２枚の透明板（８５）（８６）のうち、前記遊技領域（１５）側の後透明板（８６）側に設けられた排出孔（９５）を介して前記遊技領域（１５）内に案内する排出案内部（９１ｂ）とを備えたことを特徴とする請求項２又は３に記載の弾球遊技機。
【請求項５】
前記上向き案内通路部（９１ａ）は、前記２枚の透明板（８５）（８６）に略垂直な一対の側壁部（９２）（９３）により構成されていることを特徴とする請求項４に記載の弾球遊技機。
【請求項６】
前記排出案内部（９１ｂ）は、前記一対の側壁部（９２）（９３）間を接続するように形成された板状部材で構成され、前記後透明板（８６）の前側の前透明板（８５）の背面側に近接又は当接する位置と前記排出孔（９５）の発射方向下流側縁部とをなめらかに接続する曲面状に形成されていることを特徴とする請求項５に記載の弾球遊技機。
【請求項７】
前記開閉扉（４）（４′）側に前記発射手段（１１）を設けたことを特徴とする請求項１〜６の何れかに記載の弾球遊技機。
【発明の詳細な説明】
【技術分野】
【０００１】
本発明は、パチンコ機、アレンジボール機等、遊技球を発射する発射手段と、この発射手段により発射された遊技球を遊技領域の上部側に案内する案内レールとを備えた弾球遊技機に関するものである。
【背景技術】
【０００２】
パチンコ機やアレンジボール機等の弾球遊技機は、各種の遊技部品が装着された遊技盤と、遊技球を遊技盤側に発射する発射手段と、この発射手段により発射された遊技球を案内する発射案内レールとを備えており、発射手段で発射された遊技球は発射案内レールに案内されて遊技盤側の遊技領域の上部側に案内されるようになっている。
【０００３】
この種の弾球遊技機では、発射案内レールは、例えば遊技盤の前面に沿って、遊技盤の下部側から左側部を経て上部側に至る略円弧状に配設されており、例えば遊技盤の右下に配置された発射手段から発射された遊技球は、この発射案内レールに案内されて遊技盤の前面に沿って遊技領域の上部側に到達するようになっている（例えば、特許文献１参照）。
【特許文献１】特開平１０−２６３１６５号公報
【発明の開示】
【発明が解決しようとする課題】
【０００４】
このように、従来の弾球遊技機では、発射案内レールが遊技盤の前面側に配設され、発射球が遊技盤の前面に沿って案内されて遊技領域の上部側に到達するように構成されているため、遊技盤の前面側に遊技領域の他に発射球の案内通路の領域を確保する必要があり、遊技領域を十分に広くできない欠点があった。
【０００５】
特に近年の弾球遊技機では、遊技領域内に配置される液晶表示装置等の表示画面が大型化する傾向にあるため、それに伴って遊技領域を広く確保する必要性が益々高まっている。
【０００６】
本発明は上記事情に鑑みてなされたものであり、遊技盤上に遊技領域をより広く確保することが可能な弾球遊技機を提供することを目的とする。
【課題を解決するための手段】
【０００７】
本発明は、前面側に遊技領域１５が設けられた遊技盤１２と、遊技球を発射する発射手段１１と、該発射手段１１により発射された遊技球を前記遊技領域１５の上部側に案内する発射案内通路９１と、前記遊技領域１５の前側に対応する透視窓８０を有する開閉扉４，４′とを備えた弾球遊技機において、前記透視窓８０には、前後に所定の間隔をあけて略平行に配設された２枚の透明板８５，８６が装着され、前記発射案内通路９１のうち、少なくとも前記遊技領域１５の前側に対応する部分を前記２枚の透明板８５，８６の間に配置したものである。
【発明の効果】
【０００８】
本発明によれば、発射案内通路によって遊技盤１２の前面側の領域が圧迫されることがなく、その分だけ遊技領域１５を広く確保することが可能である。
【発明を実施するための最良の形態】
【０００９】
以下、本発明の実施形態を図面に基づいて詳述する。図１〜図９は本発明をパチンコ機として具現化した第１の実施形態を例示している。なお、以下の説明では、パチンコ機に向かって右側を右側、向かって左側を左側とする。
【００１０】
図１〜図３において、１は矩形状の外枠で、その前側には前枠２が上下一対のヒンジ３を介して開閉自在に枢着されている。４はガラス扉（開閉扉）、５は上皿扉で、これらは前枠２の窓孔６に対応して上下に配置され、前枠２に開閉自在に枢支されている。７は発射用の遊技球を貯留する上皿で、上皿扉５の前側に装着され、上皿カバー８により覆われている。また、９は余剰球等を貯留する下皿で、上皿扉５の下側で前枠２の前側に配置され、下皿カバー１０により覆われている。下皿９の一側、例えば右側には、後述する発射手段１１を操作するための発射ハンドル１１ａが、前枠２の前側に突出状に配置されている。
【００１１】
１２は遊技盤で、前枠２の窓孔６に対応するように、前枠２の裏側の遊技盤装着枠１３に裏側から着脱自在に装着され、窓孔６の下部側で前枠２の裏側に装着された下部支承板１４により下側から支持されている。
【００１２】
遊技盤１２の前側には遊技領域１５が形成されており、この遊技領域１５は、その周囲を取り囲むように前向きに立設された遊技領域周壁部１６により外側の領域と区分されている。遊技領域１５内には、図６に示すように、中央表示装置１７、特別図柄始動手段１８、大入賞手段１９、普通図柄始動手段２０、普通入賞手段２１等の各種遊技部品が配置され、その最下部にはアウト口２２が設けられている。
【００１３】
遊技盤１２の裏側には、図３に示すように、中央表示装置１７等の遊技部品を裏側から覆う裏カバー３１が装着されている。裏カバー３１の背面側には、主制御基板３２を収納する主基板ケース３３、音声制御基板３４を収納する音声基板ケース３５、ランプ制御基板３６を収納するランプ基板ケース３７等が着脱自在に装着されている。
【００１４】
遊技盤装着枠１３は門形状であって、前枠２の窓孔６に沿って前枠２の裏側に固定され、この遊技盤装着枠１３の下端部間に、上皿扉５の裏側に対応するように下部支承板１４が前枠２の裏側に固定されている。遊技盤装着枠１３には、遊技盤１２を裏側から押圧して固定するように、裏機構板４１が上下一対のヒンジ４２により開閉自在に枢着され、閉状態で締結具４３により遊技盤装着枠１３に締結されるようになっている。
【００１５】
裏機構板４１には、その略中央部に裏カバー３１が嵌合する開口部４４が形成され、この開口部４４の上側に遊技球タンク４５が、左右一側に払い出し手段４６が、下側に通路ユニット４７が夫々設けられており、遊技球が大入賞手段１９等に入賞したとき、或いは図外の自動球貸し機から球貸し指令があったときに、遊技球タンク４５内の遊技球を払い出し手段４６により払い出し、その遊技球を通路ユニット４７等を経て上皿７側に案内するようになっている。
【００１６】
通路ユニット４７の後側には、設置部４９を介して、払い出し制御基板５０を収納する払い出し基板ケース５１と、電源基板５２を収納する電源基板ケース５３とが着脱自在に取り付けられている。
【００１７】
下部支承板１４は例えば合成樹脂製であって、図２に示すように、遊技盤１２の下側を支持する遊技盤支持部５４、遊技盤１２の下部前面側に当接する起立板部５５等が一体に形成されており、更に例えばその前側で且つ左右方向略中央位置に発射手段１１が配置されている。
【００１８】
発射手段１１は、図２等に示すように、遊技球を発射方向に案内する発射レール６１、揺動自在に支持された打撃槌６２、この打撃槌６２を揺動駆動する発射駆動ソレノイド６３、それら発射レール６１、打撃槌６２、発射駆動ソレノイド６３等を下部支承板１４に固定する取付板６４等を備えており、発射ハンドル１１ａが操作されたときに、発射駆動ソレノイド６３により打撃槌６２を揺動させて、後述する球送り手段７２により発射レール６１上に１個ずつ供給される遊技球を発射レール６１に沿って打撃することにより下流側に発射するようになっている。
【００１９】
発射レール６１は、下部支承板１４の前側に着脱自在に装着された取付板６４の前側に、打撃槌６２側の上流側端部よりも下流側端部が高くなるように傾斜した状態で固定されている。また、発射レール６１の上流側端部の上側には、後述する球送り手段７２により発射レール６１上に供給された遊技球の上部側に当接してその遊技球を発射待機位置で保持する発射球ストッパー６５が配置され、取付板６４の前側に固定されている。
【００２０】
発射レール６１の下流側には、ファール球を下皿９側に案内するファール球案内通路６６と、発射手段１１により発射されて発射レール６１側からファール球案内通路６６上を通過した遊技球を下流側に案内する中継レール６７とが、例えば下部支承板１４の前側に一体に設けられている。なお、ファール球案内通路６６と中継レール６７とは、例えば下部支承板１４と一体に設けられた前カバー体６８によりその前側を覆われている。
【００２１】
なお、中継レール６７は、その発射方向下流側端部がガラス扉４側の後述する透明板受けレール８４の下側近傍に位置するように配置されている。
【００２２】
上皿扉５は、下部支承板１４の前側に対応して設けられており、ヒンジ３と同じ側のヒンジ７０により前枠２側に枢支された上皿台板７１の前側に、上皿７及びそれを覆う上皿カバー８が装着され、更に上皿７側の遊技球を発射手段１１側に供給する球送り手段７２が装着されている。
【００２３】
球送り手段７２は、発射レール６１の前側に対応して例えば上皿台板７１に装着されており、発射手段１１側の発射動作と同期して球送り駆動手段７３が作動することにより、上皿７側の遊技球を、球送り排出口７４を介して発射レール６１上に１個ずつ供給するようになっている。
【００２４】
ガラス扉４は、図１，図２，図７，図８等に示すように、遊技盤１２側の遊技領域１５の前側に対応する透視窓８０を有し、扉枠８１と、この扉枠８１の前面側に装着された合成樹脂製の扉カバー８２と、扉枠８１の裏側に固定された左右一対の透明板保持レール８３，８３と、この透明板保持レール８３，８３の下端部間で扉枠８１の裏側に固定された透明板受けレール８４と、左右の透明板保持レール８３，８３間に上側から挿入された前透明板８５及び後透明板８６とを備えている。
【００２５】
扉枠８１は、ステンレス等の金属板により例えば略矩形状に形成されると共に、その略中央に、透視窓８０を構成する開口部８７が形成されている。
【００２６】
透明板保持レール８３，８３及び透明板受けレール８４は例えば金属板を折り曲げることによって形成され、図８等に示すように、前後の透明板８５，８６に対応する平行な２個の嵌合溝８８ａ，８８ｂが設けられており、前縁側の固定部８９において扉枠８１の背面側に固定されている。なお、嵌合溝８８ａ，８８ｂの間隔は、遊技球の直径よりも若干大きく形成されている。また、嵌合溝８８ａ，８８ｂ内には、透明板８５，８６を夫々所定方向、例えば前透明板８５を前向き、後透明板８６を後向きに夫々付勢してそれら透明板８５，８６を嵌合溝８８ａ，８８ｂ内で安定させるための固定バネ（図示省略）が複数箇所に配置されている。
【００２７】
なお、透明板受けレール８４には、中継レール６７の発射方向下流端側に対応して、長手方向（左右方向）の所定位置、例えば中央よりも左寄りの位置に所定長さの欠落部８４ａが設けられている。
【００２８】
扉カバー８２は、扉枠８１を前側から覆うもので、合成樹脂材料により例えば一体に成形されており、扉枠８１の背面側から例えばネジ止め等により着脱自在に固定されている。扉カバー８２の内周には、扉枠８１の開口部８７に内側から嵌合する内縁部８２ａが一体に形成されている。内縁部８２ａは、扉枠８１が内側から見えないように覆っており、その後端は前透明板８５に近接する位置まで延設されている。
【００２９】
前透明板８５及び後透明板８６は、透視窓８０に装着されて遊技領域１５を前側から透視可能に覆うもので、後透明板８６が後側、即ち遊技領域１５側となるように前後に略平行に配置されている。
【００３０】
前透明板８５は一定厚さで矩形状に形成された透明なガラス板で、透明板保持レール８３，８３に形成された前側の嵌合溝８８ａに沿って上側から挿入され、透明板受けレール８４により下側から支持されている。
【００３１】
後透明板８６は例えば透明な合成樹脂製で、前透明板８５と略同じ一定厚さの矩形状に形成されており、透明板保持レール８３，８３に形成された後側の嵌合溝８８ｂに沿って上側から挿入され、透明板受けレール８４により下側から支持されている。
【００３２】
これら前透明板８５と後透明板８６との間には、遊技球の直径よりも若干大きな隙間が形成されており、その隙間には、発射手段１１により発射された遊技球を遊技領域１５の上部側に案内するための発射案内通路９１が設けられている。発射案内通路９１は、２つの透明板８５，８６と、後透明板８６の前側に例えば一体に設けられた通路壁部材９０とで形成されている。
【００３３】
即ち、前透明板８５と後透明板８６との間には、通路壁部材９０を構成する一対の側壁部９２，９３が、両透明板８５，８６に略垂直で且つ少なくとも遊技球の直径よりも大きい間隔で略平行に配置されており、前後の透明板８５，８６と、それら一対の側壁部９２，９３とで囲まれた断面略矩形状の空間が、発射案内通路９１のうち、発射手段１１により発射された遊技球を上向きに案内する上向き案内通路部９１ａを構成している。
【００３４】
一対の側壁部９２，９３は、例えば後透明板８６側に一体に形成されており、各透明板８５，８６を透明板保持レール８３，８３に装着したとき、それら側壁部９２，９３の前縁側が前透明板８５の背面側に近接又は当接するようになっている。
【００３５】
一対の側壁部９２，９３間に形成される上向き案内通路部９１ａは、例えば透明板８５，８６の下部側における左右方向所定位置、例えば中央よりも若干左寄りの位置と、透明板８５，８６の上部側で且つ遊技領域１５の最上部よりも若干左側の位置とを結ぶように外向きに膨らむ略円弧状に配置されている。
【００３６】
その上向き案内通路部９１ａは、少なくともその発射方向下流側端部近傍については遊技盤１２側の遊技領域周壁部１６の内周側に沿って配置されている。また、上向き案内通路部９１ａの発射方向上流側端部は、発射手段１１側からの遊技球が流入する発射案内通路流入口９４となっており、この発射案内通路流入口９４は、ガラス扉４を閉じたとき、透明板受けレール８４側の欠落部８４ａを介して中継レール６７の発射方向下流側端部と近接して、遊技球を案内可能に連結されるようになっている。
【００３７】
上向き案内通路部９１ａの発射方向下流側端部近傍には、後透明板８６上に排出孔９５が形成されると共に、上向き案内通路部９１ａにより案内されてきた遊技球をその排出孔９５を介して遊技領域１５内に案内する排出案内部９１ｂが設けられている。
【００３８】
この排出案内部９１ｂは、一対の側壁部９２，９３と共に通路壁部材９０を構成するもので、例えば一対の側壁部９２，９３間を接続するように一体に形成された板状部材で構成され、前透明板８５の背面側に近接又は当接する位置と排出孔９５の発射方向下流側縁部とをなめらかな曲面で接続している。なお、側壁部９２，９３の発射方向下流側端部近傍は、排出案内部９１ｂの曲面に沿うようにその前縁側が曲線状に形成されている。
【００３９】
また、排出孔９５には、遊技領域１５側から発射案内通路９１側への遊技球の戻りを防止する戻り防止部材９７が設けられている。この戻り防止部材９７は、例えば面外方向に容易に弾性変形可能な例えば金属製の薄板で、排出孔９５を略塞ぐように例えば後透明板８６側に固定されている。
【００４０】
上記構成のパチンコ機において、遊技者が発射ハンドル１１ａを操作すると、発射手段１１の発射駆動ソレノイド６３が作動して、打撃槌６２がその発射ハンドル１１ａの操作量に対応する所定の強さで間欠的に揺動を繰り返すと共に、これと連動して球送り手段７２により上皿７側の遊技球が球送り排出口７４を介して発射レール６１上に１個ずつ供給され、これによって遊技球が発射レール６１に沿って発射される。
【００４１】
発射された遊技球は、発射レール６１からファール球案内通路６６上を通過し、更に中継レール６７を経て、透明板受けレール８４側の欠落部８４ａを介して発射案内通路流入口９４からガラス扉４側の上向き案内通路部９１ａに流入する。そして、十分な速度で上向き案内通路部９１ａを上向きに走行した遊技球は、その上端側で排出案内部９１ｂにより後ろ向きに進路を変えつつ後透明板８６側の排出孔９５を介して遊技領域周壁部１６の内面側に沿って遊技領域１５の上部側に排出される。
【００４２】
以上のように、本発明のパチンコ機では、発射手段１１により発射された遊技球を遊技領域１５の上部側に案内する発射案内通路９１のうち、少なくとも遊技領域１５の前側に対応する部分を、ガラス扉４に装着された２枚の透明板８５，８６の間に配置しているため、発射された遊技球が通過する領域によって遊技盤１２側の遊技領域１５が圧迫されることがなく、その分だけ遊技領域１５を広く確保することが可能である。
【００４３】
また、発射案内通路９１が遊技盤１２とは別に設けられているため、遊技盤１２を交換して機種変更を行う場合に、発射案内通路９１は交換することなく引き続き使用することができ、機種変更時のコストを削減できる利点もある。
【００４４】
発射案内通路９１は、発射手段１１により発射された遊技球を上向きに案内する上向き案内通路部９１ａと、この上向き案内通路部９１ａの発射方向下流端側に接続され且つ上向き案内通路部９１ａにより案内されてきた遊技球を後透明板８６側に設けられた排出孔９５を介して遊技領域１５内に案内する排出案内部９１ｂとを備えているため、発射案内通路９１を２枚の透明板８５，８６の間に配置しつつ、発射された遊技球を遊技領域１５側に案内できる。
【００４５】
２枚の透明板８５，８６と、それら２枚の透明板８５，８６の間に配置され且つそれらに略垂直な一対の側壁部９２，９３とで上向き案内通路部９１ａが形成されているため、構成が簡単で、しかも上向き案内通路部９１ａ内については、通常のパチンコ機と同じく、遊技者の遊技領域１５への視線を遮るものは２枚の透明板８５，８６のみであるため、遊技者は上向き案内通路部９１ａの後側の遊技領域１５内を従来通り視認できる利点がある。
【００４６】
２枚の透明板８５，８６のうちの後透明板８６が合成樹脂により形成され、側壁部９２，９３をその後透明板８６側に一体に形成しているため、部品点数は増加せず、また組み立て工程も簡略化できる。
【００４７】
排出案内部９１ｂは、一対の側壁部９２，９３間を接続するように形成された板状部材で構成され、２枚の透明板８５，８６のうちの前透明板８５の背面側に近接又は当接する位置と排出孔９５の発射方向下流側縁部とを滑らかに接続する曲面状に形成されているため、簡単な構成で、発射球をガラス扉４側の２枚の透明板８５，８６間からその後側の遊技領域１５側にスムーズに案内できる。
【００４８】
更に、排出案内部９１ｂを、合成樹脂製の後透明板８６側に一体に形成しているため、部品点数は増加せず、組み立て工程も簡略化できる。
【００４９】
図１０及び図１１は本発明の第２の実施形態を例示し、透視窓８０を有する開閉扉側に発射手段１１を設けた例を示している。
【００５０】
本実施形態のパチンコ機は、前枠２の前側に、第１の実施形態におけるガラス扉４と上皿扉５とが一体化された開閉扉４′が装着されている。即ち、開閉扉４′は、遊技盤１２側の遊技領域１５の前側に対応する透視窓８０を有し、遊技盤１２の前側に対応するように配置される扉枠８１と、この扉枠８１の前面側に装着された合成樹脂製の扉カバー８２と、扉枠８１の裏側に固定された左右一対の透明板保持レール８３，８３と、この透明板保持レール８３，８３の下端部間で扉枠８１の裏側に固定された透明板受けレール８４と、左右の透明板保持レール８３，８３間に上側から挿入された前透明板８５及び後透明板８６と、下部支承板１４の前側に対応して設けられる上皿台板７１と、その上皿台板７１の前側に配置される上皿７及びそれを覆う上皿カバー８とを備え、扉枠８１と上皿台板７１とが例えば１枚の金属板を成形することにより一体に形成されている。
【００５１】
そして、球送り手段７２だけでなく、発射手段１１、中継レール６７についても開閉扉４′側に装着されている。
【００５２】
即ち、発射手段１１を構成する打撃槌６２、発射駆動ソレノイド６３、発射球ストッパー６５等が、取付板６４を介して例えば上皿台板７１の背面側に装着されている。また、球送り手段７２は、発射レール６１の前側に対応して例えば上皿台板７１の前面側に装着されており、発射手段１１側の発射動作と同期して球送り駆動手段７３が作動することにより、上皿７側の遊技球を、上皿台板７１に設けられた球送り排出口７４を介して発射レール６１上に１個ずつ供給するようになっている。
【００５３】
また、発射レール６１の下流側には、ファール球案内通路６６を挟んで中継レール６７が配置され、例えば上皿台板７１の背面側に固定されている。
【００５４】
以上説明した以外の部分、例えば透明板８５，８６及びそれらの間に配置された発射案内通路９１等については、第１の実施形態と略同様に構成されている。
【００５５】
このように、発射経路を形成する発射手段１１、中継レール６７、発射案内通路９１等を１つの開閉扉４′上に設けることで、それら各部の相対位置にズレが生じ難く、発射精度のバラツキ等を防止できる利点がある。
【００５６】
以上、本発明の実施形態について詳述したが、本発明はこれらの実施形態に限定されるものではなく、本発明の趣旨を逸脱しない範囲で種々の変更が可能である。例えば、実施形態では、２枚の透明板８５，８６について、前透明板８５をガラス板、後透明板８６を合成樹脂板としたが、例えば透明板８５，８６の両方とも合成樹脂により形成してもよい。
【００５７】
前透明板８５を合成樹脂で形成し、通路壁部材９０をこの前透明板８５側に一体に設け、後透明板８６側に設けた排出孔９５を介して遊技領域１５側に排出するように構成してもよい。
【００５８】
また、通路壁部材９０は透明板８５，８６に一体に設ける必要はなく、透明板８５，８６のうちの少なくとも一方に着脱可能に装着してもよい。
【００５９】
また、通路壁部材９０は、開閉扉側の所定部分、例えば透明板保持レール８３、透明板受けレール８４等に一体に形成し、又は着脱可能に装着してもよい。
【００６０】
また、通路壁部材９０の支持構造は任意であり、例えば透明板８５，８６ではなく開閉扉の透明板保持レール８３、透明板受けレール８４等に固定してもよい。
【００６１】
通路壁部材９０を透明板８５，８６に一体に設けない場合には、透明板８５，８６を共にガラス板とし、後透明板８６側に排出孔９５を設けてもよい。
【００６２】
通路壁部材９０の構成は任意であり、断面コの字型に形成して前後の透明板８５，８６の何れか一方との間に発射案内通路９１を形成するようにしてもよいし、単独で発射案内通路９１を構成するように筒状に形成してもよい。
【００６３】
発射案内通路９１の配置形状や配置位置は、遊技領域１５の形状や発射手段１１の配置位置等に応じて適宜変更すればよい。例えば、発射手段１１を左側端部近傍に設ける場合には、発射案内通路９１の発射方向上流側が略垂直上向きとなるように配置すればよい。
【００６４】
透明板８５，８６の支持構造や装着方向等は任意であり、例えば透視窓８０に対して横向きに着脱するようにしてもよいし、透視窓８０に対して後側から前後方向に着脱するように構成してもよい。
【００６５】
更に、実施形態ではパチンコ機を例に挙げて説明したが、アレンジボール機、雀球遊技機、その他の各種の弾球遊技機においても同様に実施可能であることは言うまでもない。
【図面の簡単な説明】
【００６６】
【図１】本発明の第１の実施形態を示すパチンコ機の全体斜視図である。
【図２】本発明の第１の実施形態を示すパチンコ機の上皿扉を除いた状態での正面図である。
【図３】本発明の第１の実施形態を示すパチンコ機の背面図である。
【図４】本発明の第１の実施形態を示すパチンコ機の横断面図である。
【図５】本発明の第１の実施形態を示すパチンコ機の縦断面図である。
【図６】本発明の第１の実施形態を示すパチンコ機の遊技盤の正面図である。
【図７】本発明の第１の実施形態を示すパチンコ機のガラス扉の背面図である。
【図８】本発明の第１の実施形態を示すパチンコ機のガラス扉の分解斜視図である。
【図９】本発明の第１の実施形態を示すパチンコ機の発射案内通路の要部拡大断面図である。
【図１０】本発明の第２の実施形態を示すパチンコ機の縦断面図である。
【図１１】本発明の第２の実施形態を示すパチンコ機の開閉扉の背面図である。
【符号の説明】
【００６７】
４    ガラス扉（開閉扉）
４′  開閉扉
１１    発射手段
１２    遊技盤
１５    遊技領域
８０    透視窓
８５    前透明板（透明板）
８６    後透明板（透明板）
９０    通路壁部材
９１    発射案内通路
９１ａ  上向き案内通路部
９１ｂ  排出案内部
９２    側壁部
９３    側壁部
９５    排出孔
【図１】
2006263194.tif 000003
【図２】
2006263194.tif 000004
【図３】
2006263194.tif 000005
【図４】
2006263194.tif 000006
【図５】
2006263194.tif 000007
【図６】
2006263194.tif 000008
【図７】
2006263194.tif 000009
【図８】
2006263194.tif 000010
【図９】
2006263194.tif 000011
【図１０】
2006263194.tif 000012
【図１１】
2006263194.tif 000013